(57)【特許請求の範囲】
【請求項１】
左右側面に長溝が形成された本体と、
前記本体の内部に回転自在に配設され、外周面に前後対称状に右ねじと左ねじがそれぞれ形成されたねじ軸と、
前記ねじ軸の前方右ねじ及び後方左ねじにそれぞれ係合され、前記ねじ軸の回転に伴って接離するように前記ねじ軸の前後に移動する前方及び後方ナットと、
前端が前記前方ナットに蝶合され、本の下面が支持されるように内部から左右両方向にテレスコープ式で伸縮される複数の左右支持部材及び前端の上面に前記本の下端を支持する折畳式下部支持部材が配設された本受け台と、
一方の端が前記後方ナットに蝶合され、他方の端が前記本受け台の下面に回転自在に係合されて前記ねじ軸の回転に伴って前記前方ナット及び後方ナットの前後移動により前記本受け台の角度を調節する角度調節部材と、
左右内側面に形成された長形の係合突起が前記本体の長溝に滑り込んで前記本受け台の上部を覆うように前記本体に係合される覆体と、
を備えることを特徴とする携帯用読書台。
【請求項２】
前記前方ナット及び後方ナットのそれぞれは、
前記ねじ軸の前後移動時に前記本体の内部底面と接触して回転するガイドホイールを備えることを特徴とする請求項１に記載の携帯用読書台
【請求項３】
前記本受け台の後端部に前後に摺動自在に係合された補助受け台をさらに備えることを特徴とする請求項１に記載の携帯用読書台 。
【請求項４】
前記補助受け台は本の下面が支持されるように内部から左右両方向にテレスコープ式で伸縮される左右支持補助部材を備えることを特徴とする請求項３に記載の携帯用読書台。
【請求項５】
前記本受け台の下部支持部材の左右側にそれぞれの一方の端が回転自在に係合されて他方の端の回動により前記下部支持部材の左右方向にそれぞれ拡開される一対の左右側下部支持補助部材と、前記左右側下部支持補助部材の他方の端の上面にそれぞれ突設され、前記本が前記本受け台に支持されて拡開された状態を維持するように前記本の拡開された両側下端をそれぞれ固定する一対の左右側固定突起と、をさらに備えることを特徴とする請求項１に記載の携帯用読書台。
【請求項６】
前記ねじ軸の前端とベベルギアを介して係合された把持部をさらに備えることを特徴とする請求項１に記載の携帯用読書台。
【請求項７】
それぞれの一方の端が前記本体下面の左右側に回転自在に係合され、他方の端の回動により前記本体から引き出される複数の固定脚をさらに備えることを特徴とする請求項１に記載の携帯用読書台。
【請求項８】
前記覆体の上部に筆記具が収納される筆箱が取り付けられることを特徴とする請求項１に記載の携帯用読書台。
【発明の詳細な説明】
【技術分野】
【０００１】
本発明は、携帯時にサイズを小さくすることができて携帯し易く、本の大きさに応じて支持面積を調節することができ、本受け台の角度の調節に際してユーザが希望する任意の角度に調節することのできる携帯用読書台に関する。
【背景技術】
【０００２】
一般に、読書台は、本をユーザの視線と同じ高さに維持し、本との距離を適切に維持するためのものであり、本受け台の下面に多数の係止爪を備えて本の傾きを調節する。
【０００３】
図１は、従来の技術による読書台を示す斜視図であり、本の下面を支持する本受け台１０と、前記本受け台１０の後方に配設された係止部材２０と、前記本受け台１０の角度を調節するために前記係止部材２０が係止される係止爪３５が形成された支持台３０と、を備える。
【０００４】
上記の構成を有する従来の読書台は、大きさが固定されているため携帯時に不便であり、本が大き過ぎたり小さすぎたりする場合に正常に支持することができないという問題があり、とりわけ、本受け台の角度の調節に際して固定された角度にしか調節することができないためユーザが希望する任意の角度に調節することができないという問題がある。
【発明の概要】
【発明が解決しようとする課題】
【０００５】
本発明は、上記の従来の技術の問題点を解消するためになされたものであり、その目的は、携帯時にサイズを変更することができて携帯し易く、本の大きさに応じて支持面積を調節することができ、本受け台の角度の調節に際してユーザが希望する任意の角度に調節することのできる携帯用読書台を提供するところにある。
【０００６】
本発明のその他の目的、特定の長所及び新規な特徴は、添付図面と結び付けられる以下の詳細な説明と好適な実施形態からなお一層明らかになる。
【課題を解決するための手段】
【０００７】
上述した目的を達成するために、本発明に係る携帯用読書台は、左右側面に長溝が形成された本体と、前記本体の内部に回転自在に配設され、外周面に前後対称状に右ねじと左ねじがそれぞれ形成されたねじ軸と、前記ねじ軸の前方右ねじ及び後方左ねじにそれぞれ係合され、前記ねじ軸の回転に伴って接離するように前記ねじ軸の前後に移動する前方及び後方ナットと、前端が前記前方ナットに蝶合され、本の下面が支持されるように内部から左右両方向にテレスコープ式で伸縮される複数の左右支持部材及び前端の上面に前記本の下端を支持する折畳式下部支持部材が配設された本受け台と、一方の端が前記後方ナットに蝶合され、他方の端が前記本受け台の下面に回転自在に係合されて前記ねじ軸の回転に伴って前記前方ナット及び後方ナットの前後移動により前記本受け台の角度を調節する角度調節部材と、左右内側面に形成された長形の係合突起が前記本体の長溝に滑り込んで前記本受け台の上部を覆うように前記本体に係合される覆体と、を備えることを特徴とする。
【０００８】
また、好ましくは、前記前方ナット及び後方ナットのそれぞれは、前記ねじ軸の前後移動時に前記本体の内部底面と接触して回転するガイドホイールを備える。
【０００９】
さらに、好ましくは、前記携帯用読書台は、前記本受け台の後端部に前後に摺動自在に係合された補助受け台をさらに備える。
【００１０】
さらに、好ましくは、前記補助受け台は、本の下面が支持されるように内部から左右両方向にテレスコープ式で伸縮される左右支持補助部材を備える。
【００１１】
さらに、好ましくは、前記本受け台の下部支持部材の左右側にそれぞれの一方の端が回転自在に係合されて他方の端の回動により前記下部支持部材の左右方向にそれぞれ拡開される一対の左右側下部支持補助部材と、前記左右側下部支持補助部材の他方の端の上面にそれぞれ突設され、前記本が前記本受け台に支持されて拡開された状態を維持するように前記本の拡開された両側下端をそれぞれ固定する一対の左右側固定突起と、をさらに備える。
【００１２】
さらに、好ましくは、前記ねじ軸の前端とベベルギアを介して係合された把持部をさらに備える。
【００１３】
さらに、好ましくは、それぞれの一方の端が前記本体下面の左右側に回転自在に係合され、他方の端の回動により前記本体から引き出される複数の固定脚をさらに備える。
【００１４】
さらに、好ましくは、前記覆体の上部に筆記具が収納される筆箱が取り付けられる。
【発明の効果】
【００１５】
本発明に係る携帯用読書台によれば、テレスコープ式の左右支持部材及び折畳式の下部支持部材を用いてサイズを変更することができて携帯し易く、本の大きさに応じて支持面積を調節することができる。
【００１６】
また、補助受け台と、左右支持補助部材及び下部支持補助部材を用いて支持面積を極大化させることができて本が大きな場合でも支持しやすく、且つ、下部支持補助部材に形成された固定突起によって本の拡開状態を維持することができて使い勝手が非常によい。
【００１７】
さらに、前後対称状に右ねじと左ねじがそれぞれ形成されたねじ軸にそれぞれ係合された前方及び後方ナットと角度調節部材を用いて、本受け台の角度調節に際してユーザが希望する任意の角度に簡単に調節することができる。
【００１８】
さらに、覆体の上部に筆記具が収納される筆箱が取り付けられることにより、普段は筆箱の用途に使用し、本を読みたいときには読書台として用いることができて携帯性及び便利性が極大化される
【図面の簡単な説明】
【００１９】
【図１】従来の技術による読書台を示す斜視図である。
【図２】本発明に係る携帯用読書台の第１の実施形態を示す係合斜視図である。
【図３】図２に示す携帯用読書台から覆体を取り外した状態を示す斜視図である。
【図４】図２に示す携帯用読書台の使用状態を示す斜視図である。
【図５】図４の側断面図である。
【図６】本発明に係る携帯用読書台の第２の実施形態を示す斜視図である。
【図７】本発明に係る携帯用読書台の第２の実施形態を示す斜視図である。
【図８】本発明に係る携帯用読書台の第３の実施形態を示す斜視図である。
【図９】本発明に係る携帯用読書台の第３の実施形態を示す斜視図である。
【図１０】本発明に係る携帯用読書台の第４の実施形態を示す結合斜視図である。
【発明を実施するための形態】
【００２０】
本発明に係る携帯用読書台は、左右側面に長溝が形成された本体と、前記本体の内部に回転自在に配設され、外周面に前後対称状に右ねじと左ねじがそれぞれ形成されたねじ軸と、前記ねじ軸の前方右ねじ及び後方左ねじにそれぞれ係合され、前記ねじ軸の回転に伴って接離するように前記ねじ軸の前後に移動する前方及び後方ナットと、前端が前記前方ナットに蝶合され、本の下面が支持されるように内部から左右両方向にテレスコープ式で伸縮される複数の左右支持部材及び前端の上面に前記本の下端を支持する折畳式下部支持部材が配設された本受け台と、一方の端が前記後方ナットに蝶合され、他方の端が前記本受け台の下面に回転自在に係合されて前記ねじ軸の回転に伴って前記前方ナット及び後方ナットの前後移動により前記本受け台の角度を調節する角度調節部材と、左右内側面に形成された長形の係合突起が前記本体の長溝に滑り込んで前記本受け台の上部を覆うように前記本体に係合される覆体と、を備えることを実施するための形態とする。
【００２１】
本発明に係る携帯用読書台は、図２乃至図１０に示すように、本体１００と、ねじ軸２００と、前方ナット３１０と、後方ナット３２０と、本受け台４００と、角度調節部材５００、及び覆体６００を備え、さらに、補助受け台７００と、把持部９２０と、固定脚９３０及び筆箱９４０を備える。
【００２２】
本体１００は、図２乃至図１０に示すように、長尺の直方体状を呈し、後述する各種の構成要素が取り付けられるため強固に製作される必要があり、机やテーブルなどに下面が密着固定されるため扁平度がよい必要がある。本体１００は、図２及び図３に示すように、左右側面に長溝１１０が形成されて後述する覆体６００が滑り込む。後述する本受け台４００がねじ軸２００と、前方ナット３１０と、後方ナット３２０及び角度調節部材５００の相互作用により本の下面を受けながら角度が調節されるときに、本体１００は、本受け台４００の角度変化に対する基準面となる。
【００２３】
ねじ軸２００は、図４及び図５に示すように、前記本体１００の内部に回転自在に配設され、外周面に前後対称状に右ねじ２１０と左ねじ２２０がそれぞれ形成される。また、前方ナット３１０及び後方ナット３２０は、それぞれが前記ねじ軸２００の前方右ねじ２１０及び後方左ねじ２２０にそれぞれ係合され、前記ねじ軸２００の回転に伴って接離されるように前記ねじ軸２００の前後に移動する。すなわち、ねじ軸２００は、本体１００の内部に前後に長く配設されて両端が回転自在に配設され、前方及び後方にそれぞれ対称状に前方右ねじ２１０及び後方左ねじ２２０がそれぞれ形成されている。このため、ねじ軸２００の前方に係合される前方ナット３１０とねじ軸２００の後方に係合される後方ナット３２０は、ねじ軸２００の正回転及び逆回転に伴って接離されるように前記ねじ軸２００の前後に移動することになる。前記前方ナット３１０及び後方ナット３２０は、後述する本受け台４００及び角度調節部材５００とそれぞれ係合され、ねじ軸２００の回転に伴って本受け台４００の角度が調節される。一方、前記ねじ軸２００を回転させるためにねじ軸２００の前端を本体１００の前方に突出させ、ユーザがねじ軸２００の前端を直接的に把持して回転させてもよい。しかしながら、図２乃至図５に示すように、前記ねじ軸２００の前端とベベルギア９１０を介して係合された把持部９２０をさらに配設してもよい。すなわち、ユーザは、簡単に把持部９２０を回してベベルギア９１０に回転力を伝えると、ねじ軸２００の前端がベベルギア９１０と噛み合っているため、結果的にねじ軸２００が回転されやすくなる。
【００２４】
本受け台４００は、図３乃至図５に示すように、前端が前記前方ナット３１０に蝶合され、本の下面が支持されるように内部から左右両方向にテレスコープ式で伸縮される複数の左右支持部材４１０及び前端の上面に前記本の下端を支持する折畳式下部支持部材４２０が配設される。また、角度調節部材５００は、一方の端が前記後方ナット３２０に蝶合され、他方の端が前記本受け台４００の下面に回転自在に係合されて前記ねじ軸２００の回転に伴って前記前方ナット３１０及び後方ナット３２０の前後移動により前記本受け台４００の角度を調節する。例えば、ねじ軸２００が正回転するときに、前方ナット３１０及び後方ナット３２０が互いに離隔されるように移動すれば、前記本受け台４００の前端及び角度調節部材５００の一方の端が互いに離間しながら、図３に示すように、本受け台４００の角度は小さくなる。このとき、前方ナット３１０及び後方ナット３２０が最大限に離隔されたときには、前記本受け台４００及び角度調節部材５００が上下に重なり合って平行になる。逆に、ねじ軸２００が逆回転するときに、前方ナット３１０及び後方ナット３２０が互いに近づくように移動すれば、前記本受け台４００の前端及び角度調節部材５００の一方の端が互いに近づきながら、図４及び図５に示すように、本受け台４００の角度は大きくなる。このとき、前方ナット３１０及び後方ナット３２０が最大限に近づいたときには、本受け台４００及び角度調節部材５００が両方とも最大の角度を維持することになる。
【００２５】
前記本受け台４００は、図３乃至図５に示すように、本の下面が支持されるように内部から左右両方向にテレスコープ式で伸縮される複数の左右支持部材４１０及び前端上面に前記本の下端を支持する下部支持部材４２０が配設される。本受け台４００は、前記本体１００よりも小さい長尺の直方体状を呈し、本の下面を支持する。本受け台４００の左右支持部材４１０は、アンテナのようにテレスコープ式で伸縮自在に本受け台４００の内部に配設され、左右両方向に拡開されることにより本の下面左右を広く支持する。前記左右支持部材４１０は、左右両方向に少なくとも３対以上設けられなければ、本が大きい場合に適切に支持することができない。下部支持部材４２０は、本受け台４００の前端上面に配設され、本が落下しないように本の下端を支持する。このとき、下部支持部材４２０は、折畳及び拡開自在に本受け台４００の前端上面に折畳式で配設され、後述する覆体６００に干渉しないように折り畳まれ、前記本の下端を一層強固に支持するために拡開動作時には９０°の角度に拡開される。すなわち、下部支持部材４２０は、９０°に回転可能な折畳式蝶番であってもよい。
【００２６】
覆体６００は、図２及び図３に示すように、左右内側面に形成された長尺の係合突起６１０が前記本体１００の長溝１１０に滑り込んで前記本受け台４００の上部を覆うように前記本体１００に係合される。すなわち、本体１００と本受け台４００が折り畳まれた状態で覆体６００を覆い被せてサイズを小さくして携帯しやすくする。一方、図１０に示すように、このような覆体６００の上部に筆記具が収納される筆箱９４０が取り付けられて、ケースとしての役割だけではなく、筆記具などを収納する役割をも果たすことができる。筆箱９４０は、図１０に示すように、覆体６００と同じ材質の角形であってもよく、袋状に製作してもよい。
【００２７】
固定脚９３０は、図４に示すように、それぞれの一方の端が前記本体１００の下面の左右側に回転自在に係合され、他方の端の回動により前記本体１００から引き出される。机などに本体１００の下面のみが密着固定される場合に、本受け台４００に本を載せたときに、本の重さによって揺れる虞がある。このため、前記固定脚９３０が本体１００の左右に引き出されてより広い面積に亘って支持することにより、一層強固に固定することができる。
【００２８】
一方、ねじ軸２００の回転によって前方ナット３１０及び後方ナット３２０が接離されるように前後に移動するが、本受け台４００に本が載せられた場合に本の自重によってねじ軸２００が曲がることがある。このとき、前方ナット３１０及び後方ナット３２０が曲がったねじ軸２００の前後に移動するときに右ねじ２１０及び左ねじ２２０のそれぞれのねじ山が一定の間隔を形成することができず、前方ナット３１０及び後方ナット３２０の移動がスムーズに行われなくなる。このような問題を防ぐために、図４及び図５に示すように、前記前方ナット３１０及び後方ナット３２０のそれぞれは、前記ねじ軸２００の前後移動時に前記本体１００の内部底面と接触して回転するガイドホイール３３０を備えてもよい。すなわち、前方ナット３１０及び後方ナット３２０のそれぞれは、ガイドホイール３３０が本体１００の内部底面と接触しているため、本の自重に対する反発力はガイドホイール３３０を介してねじ軸２００に伝わってねじ軸２００の曲がりを防ぐことができる。しかも、ガイドホイール３３０は、その名称から分かるように車輪状を呈するため、前後移動時における転がり動作を円滑にする。このため、本受け台４００に本が載せられた場合であっても、前方ナット３１０及び後方ナット３２０の前後移動がガイドホイール３３０を介して一層円滑になる。
【００２９】
他方で、本受け台４００を介して本の下面を支持しながらテレスコープ式左右支持部材４１０により本の下面を左右に一層広く支持することができる。しかしながら、本の左右支持は、左右支持部材４１０を用いて行うことができるとしても、本の高さが大きくなる場合に問題になることがある。このような問題を防ぐために、図６及び図７に示すように、前記本受け台４００の後端部に前後に摺動自在に係合された補助受け台７００をさらに備えてもよい。補助受け台７００は、本受け台４００の後端部に係合され、本受け台４００を基準として前後に摺動自在に係合されて本受け台４００と併せて本の下面を一層広く支持することが可能になる。このとき、補助受け台７００は、本受け台４００に挿入されるガイド部材などを介して前後に摺動自在に構成すればよい。このとき、前記補助受け台７００もまた本受け台４００と同様に本の下面が支持されるように内部から左右両方向にテレスコープ式で伸縮される左右支持補助部材７１０をさらに備えていてもよい。
【００３０】
前記補助受け台７００及び左右支持補助部材７１０の機能と同じ観点から、本が大きくなる場合には、本の下端を支持する下部支持部材４２０だけでは大きな本の下端を強固に支持することが困難である。このため、図８及び図９に示すように、前記本受け台４００の下部支持部材４２０の左右側にそれぞれの一方の端が回転自在に係合されて他方の端の回動により前記下部支持部材４２０の左右方向にそれぞれ拡開される一対の左側下部支持補助部材８１０及び右側下部支持補助部材８２０をさらに備えていてもよい。このため、本が大きな場合であっても下部支持部材４２０及び左右側下部支持補助部材８１０、８２０によって本の下端が一層広く且つ強固に固定される。このとき、本の下端が左右側下部支持補助部材８１０、８２０に支持された場合に、ユーザが手で本を拡開して押さなくても、本発明に係る携帯用読書台に本が支持された場合には、本が拡開された状態を維持することができれば一層便利である。すなわち、図８及び図９に示すように、前記左右側下部支持補助部材８１０、８２０の他方の端の上面にそれぞれ突設され、前記本が前記本受け台４００に支持されて拡開された状態を維持するように前記本の拡開された両側下端をそれぞれ固定する一対の左側固定突起８１１及び右側固定突起８２１をさらに備えていてもよい。本が拡開されたままで左右側下部支持補助部材８１０、８２０に支持された場合に、前記一対の左右側固定突起８１１、８１２がそれぞれ前記本の拡開された両側下端にそれぞれ接触しながら本が閉じられることを防いで本の拡開された状態が維持されるのである。
【００３１】
上述した本発明の実施形態は、本発明の技術的思想を限定するものとして解釈されてはならない。本発明の保護範囲は、請求範囲に記載の事項によってのみ制限され、本発明の技術分野において通常の知識を有する者は、本発明の技術的思想を種々の形態に改良・変更することが可能である。よって、これらの改良及び変更は、通常の知識を有する者にとって自明なものである限り、本発明の保護範囲に属する。
【符号の説明】
【００３２】
１００：  本体
２００：  ねじ軸
２１０：  前方右ねじ
２２０：  後方左ねじ
３１０：  前方ナット
３２０：  後方ナット
４００：  本受け台
５００：  角度調節部材
６００：  覆体
６１０：  係合突起
７００：  補助受け台
８１０、８２０：  左右側下部支持補助部材
８１１、８１２：  左右側固定突起
９２０：  把持部
９３０：  固定脚
９４０：  筆箱
【図１】
0005651253.tif 000002
【図２】
0005651253.tif 000003
【図３】
0005651253.tif 000004
【図４】
0005651253.tif 000005
【図５】
0005651253.tif 000006
【図６】
0005651253.tif 000007
【図７】
0005651253.tif 000008
【図８】
0005651253.tif 000009
【図９】
0005651253.tif 000010
【図１０】
0005651253.tif 000011